(57)【特許請求の範囲】
【請求項１】
高気密高断熱住宅２１の居室２２および非居住部２３が断熱壁２４によって外部と気密に囲まれ、
断熱壁２４と居室２２との間に内壁２６が設けられ、
断熱壁２４と内壁２６との間には、壁内通気層２７が形成され、
居室２２からの空気の大部分は、居室２２に設けられる吸込口４７から、排気ダクト４８を介して、供給ファンを有する換気ユニット４１によって、外部に排気され、
この換気ユニット４１は、前記供給ファンによって、新鮮な空気を、給気ダクト４２を介して、床下５１に導き、床下５１には、前記給気ダクト４２からの新鮮な空気の一部を吸引するファンコイルユニット５２が設けられ、
このファンコイルユニット５２は、温水発生器から供給される温水によって、前記給気ダクト４２からの新鮮な空気の前記一部を加熱し、
ファンコイルユニット５２からの加熱された空気は、居室２２を床暖房する床暖房設備５３に供給され、
床暖房設備５３からの加熱空気は、前記給気ダクト４２からの新鮮な空気の残りと混ざって、壁内空気層２７を通して、居室２２の壁または天井に設けられる吹出グリル４３から居室２２内に供給され、
居室２２からの空気の一部は、居室２２と非居住部２３との境界に設けられた排出口４４から、非居住部２３に流れ、さらに、換気扇４６によって、外部に排出され、
断熱壁２４と、その断熱壁２４の外側に設けられた外壁２８との間には、外通気層２９が形成され、
外通気層２９からの空気は、屋根３１の頂部に設けられた通気設備３２からドラフト作用で流れることを特徴とする高気密高断熱住宅の換気暖房システム。
【発明の詳細な説明】
【０００１】
【発明の属する技術分野】
本発明は、高気密高断熱住宅における換気暖房システムに関する。
【０００２】
【従来の技術】
高気密断熱構造の住宅が、冷暖房のエネルギの無駄がなく、快適な住環境が得られるため、最近多く建築されている。高気密高断熱住宅１は、図２に示すように屋外の新鮮な空気が、換気ユニット２で居室５から排気される汚れた空気と熱交換し、給気ダクト４を介して居室５の天井に設けられた吹出グリル６から吹出される。冬期には、居室５の床に設けられた床暖房設備３に図示しない温水発生機から温水が供給され、居室５は暖房される。居室５内の汚れた空気の大部分は、吸込口ボックスグリル７から、排気ダクト８を介して換気ユニット２を通って屋外に排出される。居室５内の空気の一部は、トイレ・サニタリ９Ｂの天井に設けられた換気扇１０から外部に排出される。居室５と非居住部９とは断熱材１１で囲まれて完全密閉されている。これによって居室５内も非居住部９も外部とは完全に密閉され、効率のよい暖房ができる。居室５には、冷房装置１２が設けられているのが一般的である。
【０００３】
【発明が解決しようとする課題】
前記従来技術では、床暖房設備と換気設備とが分離しているため、設備費が高くなる。また暖房される部屋は、床暖房の設置された部屋のみとなり、床暖房の設置されていない部屋を暖房するときは、別途暖房設備が必要となる。また暖房されている居室と廊下やトイレ・サニタリなど非居住空間との温度差が大きい。
【０００４】
本発明の目的は、前記の問題点を解決し、１台の放熱器で床暖房だけでなく家全体に快適な暖房を施し、かつ床下と居室内との換気を行うことができる高気密高断熱住宅の換気暖房システムを提供することである。
【０００５】
【課題を解決するための手段】
本発明は、高気密高断熱住宅２１の居室２２および非居住部２３が断熱壁２４によって外部と気密に囲まれ、
断熱壁２４と居室２２との間に内壁２６が設けられ、
断熱壁２４と内壁２６との間には、壁内通気層２７が形成され、
居室２２からの空気の大部分は、居室２２に設けられる吸込口４７から、排気ダクト４８を介して、供給ファンを有する換気ユニット４１によって、外部に排気され、
この換気ユニット４１は、前記供給ファンによって、新鮮な空気を、給気ダクト４２を介して、床下５１に導き、床下５１には、前記給気ダクト４２からの新鮮な空気の一部を吸引するファンコイルユニット５２が設けられ、
このファンコイルユニット５２は、温水発生器から供給される温水によって、前記給気ダクト４２からの新鮮な空気の前記一部を加熱し、
ファンコイルユニット５２からの加熱された空気は、居室２２を床暖房する床暖房設備５３に供給され、
床暖房設備５３からの加熱空気は、前記給気ダクト４２からの新鮮な空気の残りと混ざって、壁内空気層２７を通して、居室２２の壁または天井に設けられる吹出グリル４３から居室２２内に供給され、
居室２２からの空気の一部は、居室２２と非居住部２３との境界に設けられた排出口４４から、非居住部２３に流れ、さらに、換気扇４６によって、外部に排出され、
断熱壁２４と、その断熱壁２４の外側に設けられた外壁２８との間には、外通気層２９が形成され、
外通気層２９からの空気は、屋根３１の頂部に設けられた通気設備３２からドラフト作用で流れることを特徴とする高気密高断熱住宅の換気暖房システムである。
本発明に従えば、温水発生機からの温水をファンコイルユニット５２に供給し、床下５１の空気の一部をファンコイルユニットで加熱し、この加熱された空気と、床下５１の残りの空気とが混ざった空気を用いて、居室を床暖房する。これによって居室に理想的な暖房ができる。床下には、換気ユニットを介して新鮮な空気が供給される。床暖房をした温風は、まだ相当の熱エネルギを有し、床下の空気を暖めるので、これを壁面通気層２７に送り、内壁からその伝熱によって各居室と非居住部を暖め、さらに壁または天井に設けられた吹出口から居室に供給する。居室からの排気は、従来技術で説明したのと同じ経路で外部に排出される。このため暖房時の熱エネルギは、床暖房だけでなく家全体の壁を暖める駆体暖房をした後、居室内に吹き出されて有効に使われる。床暖房を使用しないときでも、新鮮な空気は床下から通気層を通って居室に供給されるので、床下が新鮮空気の通路になり、床下の換気が充分に行われる。
【０００６】
【発明の実施の形態】
図１は、本発明の高気密高断熱住宅２１の換気空調システムの一実施の形態を模式的に示す断面図である。本住宅２１は、居室２２および廊下２３Ａ、トイレ・サニタリ２３Ｂなどの非居住部２３を含み、これらは断熱壁２４によって外部と気密に囲まれている。断熱壁２４は、多くは構造壁を兼ねている。断熱壁２４と居室２２との間には、内壁２６があり、その間には壁内通気層２７が設けられている。断熱壁２４の外側には外壁２８があり、その間に外通気層２９が設けられている。屋根３１の頂部には通気設備３２があり、屋根３１の下には断熱部材３３が設けられている。居室２２の床５４には、床暖房設備５３が設けられ、冬期には床暖房が行われる。
【０００７】
高気密住宅２１は、気密にできているので、換気設備がなければ生活できない。換気設備は、新鮮な空気を供給する設備と汚れた空気を排出する設備とに分かれる。供給設備は、供給ファンを内蔵した換気ユニット４１と、新鮮な空気を床下５１に導く給気ダクト４２と居室の壁または天井に設けられる吹出グリル４３とを含み、床下５１に供給された新鮮空気は、壁内通気層２７を通って吹出グリル４３から居室２２に供給される。一方居室２２の汚れた空気の一部は、非居住部２３である廊下２３Ａとの境界に設けられた排出口４４から廊下２３Ａに排出され、トイレ・サニタリ２３Ｂとの境界に設けられた排出口４５からトイレ・サニタリ２３Ｂに入り、ここからその天井に設けられた換気扇４６によって外部に排出される。これによって非居住部２３も換気される。また居室２２内の汚れた空気の大部分は、吸込口ボックスグリル４７から排気ダクト４８を介して換気ユニット４１から外部に排出される。冷房を行う夏期には、居室２２内に設けられた冷房装置４９を稼働させる。
【０００８】
暖房を行う冬期には、床下５１に給気ダクト４２によって供給された新鮮な空気の一部は、床下５１に設けられたファンコイルユニット（ＦＣＵ）５２に吸引される。ファンコイルユニット５２には、住宅２１の屋外に設けられた図示しない温水発生機から温水が供給され、この温水と新鮮空気とがＦＣＵ５２内で熱交換されて、加熱された空気が床暖房設備５３に供給されて居室２２を床暖房する。床暖房設備５３からの暖められた空気は、給気ダクト４２からの床下５１の新鮮な空気の残りと混ざって通気層２７を通って、吹出グリル４３から居室２２内に供給される。床暖房設備５３を出た空気は、まだ相当の熱エネルギを有するので、内壁２７を介して、また直接居室２２に供給され、居室２２を暖める。
【０００９】
断熱壁２４の外側には外壁２８が設けられる。夏期には外壁２８および屋根３１が日照などによって加温されると、ドラフト作用で外通気層２９から屋根裏に矢符で示すような空気の流れができ、屋根裏が高温になるのが防がれる。
【００１０】
【発明の効果】
本発明によれば、高気密高断熱住宅において、床暖房と駆体暖房とによる快適な暖房がエネルギを節約してできる。また床下も充分換気でき、住宅の保守にも役立つ。
【図面の簡単な説明】
【図１】本発明の一実施の形態の換気空調システムを用いた高気密高断熱住宅２１の断面図である。
【図２】従来技術の換気空調システムを用いた高気密高断熱住宅１の断面図である。
【符号の説明】
２１  高気密高断熱住宅
２２  居室
２３  非居住部
２４  断熱壁
２６  内壁
２７  壁内通気層
２８  外壁
２９  外通気層
３２  通気設備
４１  換気ユニット
４３  吹出グリル
４４，４５  排出口
４６  換気扇
４７  吸込口ボックスグリル
５１  床下
５２  ファンコイルユニット（ＦＣＵ）
５３  床暖房設備
【図１】
0003558241.tif 000002
【図２】
0003558241.tif 000003